(57)【要約】      （修正有）【課題】全方向性倣研削盤を提供する。【解決手段】本考案の全方向性倣研削盤１０は台座１１を有し、且つ台座１１上には倣い装置２１が設置される。倣い装置２１は台座１１に対して同一の水平高度で左右にスイングを行い、直立ポスト３１が倣い装置２１の一側に立設される。直立ポスト３１は上に向けて延伸される端部３２を有し、且つ直立ポスト３１の端部には作業台４１が枢着される。作業台４１は直立ポスト３１に対して上下に傾斜して揺動及び水平にスイングを行い、これにより反復して工作物を取り外さずとも多角度の倣削りを行えるようになる。複合斜面の加工がより高速、簡単、正確に行えるようになり、各加工角度に応じて加工可能になり、全体的な加工効率が大幅に高まる。【選択図】図１
0003215596.tif 000002
【実用新案登録請求の範囲】
【請求項１】
台座と、
前記台座上に設置され、底板と、前記底板上に枢設されるベースと、前記ベースに設置されると共に横方向及び縦方向に沿って滑動して倣い加工を行う倣い部材と、前記倣い部材に設置されると共に加工ツールが収容される軸ユニットとを含み、前記底板は枢着台座を有し、前記ベースはターンテーブルを有し、前記ベースは前記ターンテーブルを介して前記枢着台座に相互に枢着され、前記ベースが前記底板に対して同一の水平高度で左右にスイングを行い、且つ第一固定部材により前記枢着台座及び前記ターンテーブルに固定され、前記ベースがスイングされた後の位置が固定される倣い装置と、
前記倣い装置の一側に立設され、且つ上に向けて延伸される端部を有する直立ポストと、
底面及び工作物が載置される上面を有する作業台であって、前記作業台の底面は連結ブロックを有し、且つ前記作業台は記連結ブロックを介して前記直立ポストの端部に相互に枢着され、前記作業台が前記直立ポストに対して上下に傾斜して揺動を行い、且つ第二固定部材により前記連結ブロック及び前記端部に同時に固定され、前記作業台が傾斜して揺動された後の位置が固定されることとを備えることを特徴とする全方向性倣研削盤。
【請求項２】
前記台座には前記直立ポストの方向に延伸される１対のレールが設置され、前記倣い装置の底板には複数のスライダーが設置され、且つ前記倣い装置は前記スライダーにより前記台座のレール上に摺接されることを特徴とする請求項１に記載の全方向性倣研削盤。
【請求項３】
前記ベースは上部及び底部を有し、前記ターンテーブルは前記底部に設置され、且つ前記上部と前記底部との間には間隔を空けて平行に設置される２本の支持棒が立設され、且つ前記２本の支持棒には前記２本の支持棒の縦方向に沿って滑動を行うスライドユニットが着設され、前記スライドユニットは２つのスライダー及び前記２つのスライダーの間に横方向に着設される少なくとも１つのスライドロッドで構成され、前記倣い部材は支持板を有し、前記支持板は上面及び底面を有し、且つ前記支持板の上面には摺動接続部が設けられ、且つ前記倣い部材は前記摺動接続部を介して前記スライドロッドに対応するように滑動可能に設置され、前記倣い部材が前記スライドロッドの横方向に滑動を行うことを特徴とする請求項１に記載の全方向性倣研削盤。
【請求項４】
前記ベースの上部と前記スライドユニットとの間は少なくとも１つの弾性部材を介して相互に連結されることを特徴とする請求項３に記載の全方向性倣研削盤。
【請求項５】
前記軸ユニットは前記支持板の底面に設置され、且つ前記倣い部材及び前記軸ユニットには赤外線アライナーがそれぞれ設置され、且つ前記二赤外線アライナーは９０度の夾角で互いに間隔を空けて設置されることを特徴とする請求項３に記載の全方向性倣研削盤。
【請求項６】
前記枢着台座は中空の円柱状を呈すると共に収容空間を有し、前記ターンテーブルは円盤状を呈すると共に前記収容空間中に対応するように内設され、且つ前記第一固定部材が枢着台座を貫通させると共に前記ターンテーブルに当接されることにより前記ターンテーブル及び前記枢着台座が固定されることを特徴とする請求項３に記載の全方向性倣研削盤。
【請求項７】
前記連結ブロックには枢着孔及び前記枢着孔の下方に位置されるＵ字型スロットが開設され、枢軸が前記枢着孔及び前記直立ポストの端部を貫通させることにより前記連結ブロック及び前記直立ポストの端部が相互に枢着され、前記第二固定部材は前記Ｕ字型スロットにより前記端部に貫設され、前記連結ブロック及び前記端部が固定されることを特徴とする請求項１に記載の全方向性倣研削盤。
【請求項８】
前記直立ポストは円柱状を呈し、前記端部及び前記直立ポストの連結箇所には円形カバーが形成され、前記端部は前記円形カバーにより前記直立ポストに対して包接され、前記端部が前記直立ポストに対して同一の水平高度で左右にスイングを行い、且つ第三固定部材が前記円形カバーを貫通させると共に前記直立ポストに当接されることにより前記端部がスイングされた後の位置が固定されることを特徴とする請求項７に記載の全方向性倣研削盤。
【考案の詳細な説明】
【技術分野】
【０００１】
本考案は、木工機械に関し、更に詳しくは、全方向性倣研削盤（all-directional profiling machine）に関する。
【背景技術】
【０００２】
近年、ＤＩＹが流行し、多くの人が小型の木工機械を購入して使用し、自分で机や椅子、棚、箱等の木製家具の製作を行っている。従来の製作では、まず木工機械を使用して結合させたい工作物の切削を行ってほぞ及びほぞ穴を削り出し、ほぞ及びほぞ穴を組み合わせることにより家具の組立を完成させる。
【０００３】
さらに、従来の木工機械は、クランプにより工作物が作業台に固定され、木工機械のカッターにより工作物の切削作業を行う。しかしながら、カッターは工作物に対して横方向及び縦方向の直線運動のみしか行えないため、工作物に斜面を削り出したい場合、まず工作物を適切な傾斜角度に調整させた後にクランプによって固定させ、スムーズに斜面が削り出せるようにしている。
【考案の概要】
【考案が解決しようとする課題】
【０００４】
しかしながら、工作物に対して複合斜面の加工を行う場合は、工作物を何度も着脱させて傾斜角度を何度も変えて調整しなければならない。これでは操作に時間がかかる上、面倒であり、且つ工作物を反復して着脱させると工作物の加工の中心が偏移しやすく、工作物の加工後の精度が大幅に低下した。
【０００５】
そこで、本考案者は上記の欠点が改善可能と考え、鋭意検討を重ねた結果、合理的設計で上記の課題を効果的に改善する本考案の提案に到った。
【０００６】
かかる従来の実情に鑑みて、本考案は、全方向性倣研削盤を提供することを目的とする。すなわち、多角度での倣（ならい）削りが行えるようになり、複合斜面の加工がより高速、簡単、正確に行える効果を達成させる。
【０００７】
本考案の他の目的は、全方向性倣研削盤を提供することにある。すなわち、工作物を取り外すことなく迅速に工作物の両端の切削作業を完成させる効果を有する。
【課題を解決するための手段】
【０００８】
上述した課題を解決し、目的を達成するために、本考案に係る全方向性倣研削盤の特徴は、
台座と、前記台座上に設置され、底板と、前記底板上に枢設されるベースと、前記ベースに設置されると共に横方向及び縦方向に沿って滑動して倣い加工を行う倣い部材と、前記倣い部材に設置されると共に加工ツールが収容される軸ユニットとを含み、前記底板は枢着台座を有し、前記ベースはターンテーブルを有し、前記ベースは前記ターンテーブルを介して前記枢着台座に相互に枢着され、前記ベースが前記底板に対して同一の水平高度で左右にスイングを行い、且つ第一固定部材により前記枢着台座及び前記ターンテーブルに固定され、前記ベースがスイングされた後の位置が固定される倣い装置と、前記倣い装置の一側に立設され、且つ上に向けて延伸される端部を有する直立ポストと、底面及び工作物が載置される上面を有する作業台であって、前記作業台の底面は連結ブロックを有し、且つ前記作業台は記連結ブロックを介して前記直立ポストの端部に相互に枢着され、前記作業台が前記直立ポストに対して上下に傾斜して揺動を行い、且つ第二固定部材により前記連結ブロック及び前記端部に同時に固定され、前記作業台が傾斜して揺動された後の位置が固定されることを特徴とする。
【０００９】
より詳しくは、前記直立ポストは円柱状を呈し、前記端部及び前記直立ポストの連結箇所には円形カバーが形成され、前記端部は円形カバーを介して前記直立ポストに対して包接される。前記端部が前記直立ポストに対して同一の水平高度で左右にスイングを行い、且つ第三固定部材が前記円形カバーを貫通させると共に前記直立ポストに当接されることにより前記端部がスイングされた後の位置が固定される。
【図面の簡単な説明】
【００１０】
【図１】本考案を説明する分解の概略図である。
【図２】本考案を説明する傾斜図である。
【図３】本考案を他の角度から見た傾斜図である。
【図４】本考案の倣い部材を説明する構成の概略図である。
【図５】本考案を説明する使用状態の概略図であり、倣い装置が回転する時の状態を示す。
【図６】本考案を説明する使用状態の概略図であり、作業台が傾斜して揺動する時の状態を示す。
【図７】本考案を説明する使用状態の概略図であり、作業台がスイングする時の状態を示す。
【考案を実施するための形態】
【００１１】
以下、図面を参照して本考案に係る全方向性倣研削盤の実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１２】
次に、図１〜７を参照しながら、本考案をさらに詳しく説明する。まず、図１乃至図４に示されるように、本考案の全方向性倣研削盤１０は、主に台座１１、倣い装置２１、直立ポスト３１、及び作業台４１で構成される。前記台座１１は平板状を呈すると共に地面に揺動可能に設置される。
【００１３】
前記倣い装置２１は台座１１上に設置され、倣い装置２１は底板２２と、底板２２に枢設されるベース２３と、ベース２３に設置されると共に横方向及び縦方向に沿って滑動を行う倣い部材２４と、倣い部材２４に設置されると共に加工ツール６１が収容される軸ユニット２５とを備える。底板２２は枢着台座２２１を有し、ベース２３はターンテーブル２３１を有し、ベース２３はターンテーブル２３１を介して枢着台座２２１に相互に枢着される。ベース２３が底板２２に対して同一の水平高度で左右にスイングを行い、且つ第一固定部材２６（例えば、ネジ）により枢着台座２２１及びターンテーブル２３１にロックされ、ベース２３がスイングされた後の位置が固定される。本実施形態では、枢着台座２２１は中空の円柱状を呈すると共に収容空間２２２を有し、ターンテーブル２３１は円盤状を呈すると共に収容空間２２２中に対応するように内設され、ターンテーブル２３１が枢着台座２２１の内周面に沿ってスイング動作を行う。第一固定部材２６が枢着台座２２１を貫通させると共にターンテーブル２３１に当接されることによりターンテーブル２３１及び枢着台座２２１がロックされてベース２３がスイングされた後の位置が固定される。また、ターンテーブル２３１の側縁には環状溝２３２が開設され、枢着台座２２１は環状溝２３２に対する位置箇所に環状溝２３２中に貫入される位置制限ピン２２３が設置される。ターンテーブル２３１が枢着台座２２１に対してスイングされた場合、位置制限ピン２２３及び環状溝２３２が相互に係止されることによりそのスイング可能な角度が制限される。
【００１４】
ベース２３は上部２３３及び底部２３４を有し、ターンテーブル２３１は底部２３４に設置され、且つベース２３の上部２３３と底部２３４との間には間隔を空けて平行に設置される２本の支持棒２３５が立設される。前記２本の支持棒２３５には前記２本の支持棒の縦方向に沿って滑動を行うスライドユニット２３６が着設され、ベース２３の上部２３３とスライドユニット２３６との間は少なくとも１つの弾性部材２３７（例えば、定力バネ）により相互に連結され、スライドユニット２３６が前記２本の支持棒２３５の縦方向に沿って滑動を行う際に弾性回復力が発生する。スライドユニット２３６は２つのスライダー２３７及び前記２つのスライダー２３７の間に横方向に着設される少なくとも１つのスライドロッド２３８で構成され、且つベース２３の上部には縦方向に昇降ネジ２３９が貫設され、昇降ネジ２３９にはテンプレートユニット５１が着設される。テンプレートユニット５１はベース２３の上部２３３とスライドユニット２３６との間に位置されると共にその両側辺が前記２本の支持棒２３５に活動可能に設置され、昇降ネジ２３９によりテンプレートユニット５１が連動されて前記２本の支持棒２３５に沿って上下に移動を行う。
【００１５】
図４に示されるように、倣い部材２４は上面２４２及び底面２４３を有する支持板２４１を具備し、軸ユニット２５は支持板２３４の底面２４３に固設され、倣い部材２４及び軸ユニット２５には更に赤外線アライナー２４４、２５１がそれぞれ設置される。前記２つの赤外線アライナー２４４、２５１は９０度の夾角で互いに間隔を空けて設置され、且つ支持板２４１の上面２４２には摺動接続部２４５が固設される。倣い部材２４は摺動接続部２４５を介してスライドロッド２３８に対応するように滑動可能に設置され、倣い部材２４がスライドロッド２３８の横方向に沿って滑動を行い、倣い部材２４が追随してスライドユニット２３６の縦方向に沿って滑動を行うか、スライドロッド２３８の横方向に沿って滑動を行い、軸ユニット２５の加工ツール６１が同期で連動して倣削りを行う。
【００１６】
前記直立ポスト３１は呈円柱状を呈すると共に台座１１に立設され、倣い装置２１の一側に位置される。直立ポスト３１は上に向けて延伸される端部３２を有し、且つ端部３２は直立ポスト３１の連結箇所に外拡するように円形カバー３３が形成される。端部３２は円形カバー３３を介して直立ポスト３１に対して包接され、端部３２が直立ポスト３１の外環に沿って直立ポスト３１に対して同一の水平高度で左右にスイングを行う。
【００１７】
前記作業台４１は底面４２及び工作物が載置される上面４３を有し、作業台４１の底面４２は中心位置に連結ブロック４４を有する。作業台４１は連結ブロック４４を介して直立ポスト３１の端部３２に相互に枢着され、作業台４１が直立ポスト３１に対して上下傾斜して揺動を行う。第二固定部材４５（例えば、ネジ）により連結ブロック４４及び端部３２が同時に螺着され、作業台４１が傾斜して揺動された後の位置が固定される。本実施形態では、連結ブロック４４には枢着孔４４１及び枢着孔４４１の下方に位置するＵ字型スロット４４２が開設され、枢軸４６が枢着孔４４１及び直立ポスト３１の端部３２を貫通させることにより連結ブロック４４及び直立ポスト３１の端部３２が相互に枢着される。第二固定部材４５はＵ字型スロット４４２により端部３２に貫設され、連結ブロック４４及び端部３２が螺着されて作業台４１が傾斜して揺動された後の位置が固定される。作業台４１は連結ブロック４４により端部３２に連結され、作業台４１が端部３２に同期で追随して左右にスイングすることによる調整動作が行われ、第三固定部材４７（例えば、ネジ）が円形カバー３３を貫通させると共に直立ポスト３１に当接されることにより作業台４１がスイングされた後の位置が固定される。
【００１８】
さらに、台座１１には直立ポスト３１の方向に延伸される１対のレール１２が更に設置され、倣い装置２１の底板２２には複数のスライダー２２４が設置される。倣い装置２１はスライダー２２４を介して台座１１のレール１２に対して摺接され、倣い装置２１が前記１対のレール１２に沿って前後に移動することによる位置調整が行われる。
【００１９】
本考案が実際に使用される場合、図５及び図６に示されるように、まずクランプ及びバッフル（図示せず）により工作物７１が作業台４１の上面４３に固定される。次いで、使用者は加工したい切削角度に合わせてベース２３のスイング角度及び作業台４１の傾斜して揺動させる角度を調整させた後、第一固定部材２６及び第二固定部材４５によりベース２３及び作業台４１の設置角度をそれぞれ固定させ、その後に工作物７１に対する倣削りを行う。使用者が工作物に対して複合斜面の加工を行う場合、ベース２３のスイング角度及び作業台４１の傾斜して揺動させる角度を再度調整させるのみで、工作物７１を反復して取り外さずとも多角度での倣削りを行えるようになる。複合斜面の加工がより高速、簡単、正確になり、様々な加工角度に対応できるため全体的な加工効率が大幅に上昇する。
【００２０】
また、ベース２３のスイング角度及び作業台４１の傾斜して揺動させる角度の調整が完了した後、昇降ネジ２３９により倣い部材２４及び軸ユニット２５に設置される赤外線アライナー２４４、２５１の高さの調整を行い、前記２つの赤外線アライナー２４４、２５１により照射される十字に交差する光線が工作物７１の中心に対して照準を合わせることにより、後続の倣削りの精度が高まる。
【００２１】
次は、図７を参照し、本考案の作業台４１は同一の水平高度で左右にスイングを行う機能を更に有する。このため、工作物７１の両端に切削加工が施される場合、まず一方の端面に対する切削が行われた後、作業台４１が水平方向に１８０度スイングされて工作物７１が回転される。次に、倣い装置２１が前記１対のレール１２に沿って移動され、加工ツール６１及び工作物７１の加工位置が調整された後、作業物の他の一方の端面が直接切削される。これにより、工作物７１を取り外さずとも工作物７１の両端の倣削り作業を迅速に完成でき、且つ工作物７１を取り外さないため、工作物の加工の中心が偏移しなくなるという効果をも達成させる。
【００２２】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２３】
１０  全方向性倣研削盤
１１  台座
１２  レール
２１  倣い装置
２２  底板
２２１  枢着台座
２２２  収容空間
２２３  位置制限ピン
２２４  スライダー
２３  ベース
２３１  ターンテーブル
２３２  環状溝
２３３  上部
２３４  底部
２３５  支持棒
２３６  スライドユニット
２３７  弾性部材
２３６１  スライダー
２３８  スライドロッド
２３９  昇降ネジ
２４  倣い部材
２４１  支持板
２４２  上面
２４３  底面
２４４  赤外線アライナー
２４５  摺動接続部
２５  軸ユニット
２５１  赤外線アライナー
２６  第一固定部材
３１  直立ポスト
３２  端部
３３  円形カバー
４１  作業台
４２  底面
４３  上面
４４  連結ブロック
４５  第二固定部材
４４１  枢着孔
４４２  Ｕ字型スロット
４６  枢軸
４７  第三固定部材
５１  テンプレートユニット
６１  加工ツール
７１  工作物
【図１】
0003215596.tif 000003
【図２】
0003215596.tif 000004
【図３】
0003215596.tif 000005
【図４】
0003215596.tif 000006
【図５】
0003215596.tif 000007
【図６】
0003215596.tif 000008
【図７】
0003215596.tif 000009